(57)【要約】      （修正有）【課題】浴槽を用いず、上下から同時に、加圧温水及び、洗浄ボールがノズルより噴射され、皮膚の表面を摺る事で洗浄出来、入浴時間の短縮され、タンクに蓄えたお湯を循環して使用する事で、水の使用量や燃料の削減が可能で、介護者を必要とする人の入浴も出来る装置を提供する。【解決手段】下ケース（容器）３に取り付けられた蝶番で、開閉出来る扉１の内側に上ノズルケース２が取り付けられている。下ケース（容器）３の内側には、下ノズルケース５が有り、その上に体を受け止める為のシート４が固定されている。温水を溜めて置くタンクから下ケース（容器）３内に、温水を出す。下ケース（容器）３の下部に溜まった温水を、ポンプで汲み上げ最適な噴射圧になった温水を混合タンクに送り込み、パイプ１０で接続された上ノズルケース２及び、下ノズルケース５より加圧温水、洗浄ボールを身体に噴射する事で、身体に負荷を余り与えず、自動で洗浄出来る。【選択図】図１
2010284492.tif 000002
【特許請求の範囲】
【請求項１】
開閉出来る扉の内側に、上噴射ノズルケースを設置している。ケース（容器）の内側に下噴射ノズルケースを設置している。加圧された温水及び洗浄ボールが上下噴射ノズルより噴出し、身体に噴き掛け、身体を洗浄する装置。
【請求項２】
供給された温水を、溜めて置く貯水タンクと洗浄ボールを溜めて置く混合タンクを備えている。この温水と適量の洗浄ボールを混合タンク内で、混ぜ合わしながら、それをノズルに供給する。同時に噴射し終えた温水と洗浄ボールを、加圧ポンプで吸引回収して、再び混合タンクに戻し蓄える装置。
【請求項３】
温水加圧用ポンプを備え、下ケース（容器）の下部に溜まった温水を、吸引後最適な噴射圧にして、混合タンクに供給する装置。
【請求項４】
下ケース（容器）内側の底部に、下噴射ノズルケースが固定されている。その上に加圧温水及び洗浄ボールが、全身に、効率良く接触出来る為に、多数の抜き穴加工が施されているシートが設置されている。このシートの上に体を預ける。
【請求項５】
洗浄する時の体勢で椅子に座るタイプと、長椅子で寝そべるタイプの二種類を設ける。
【発明の詳細な説明】
【技術分野】
【０００１】本発明は、自動で人体を洗う装置に関する。
【背景技術】
【０００２】従来、一般家庭用お風呂は、浴槽が常備されている。（非特殊文献２参照）【０００３】それ以外では、介護用の浴槽等がある（特許文献１参照）
【先行技術文献】
【特許文献】
【０００４】
【特許文献１】  特開平０８−１５４９９６
【０００５】
【特許文献２】  特願２００６−２５９２６２
【０００６】
【特許文献３】
【０００７】
【特許文献４】  特開２００１−５７９９９
【０００８】
【非特許文献１】  （株）モリタエコノス  訪問入浴車  ＹＵＡ０２−６型
【０００９】
【非特許文献２】  各ユニットバス製造会社のパンフレット
【発明の概要】
【発明が解決しようとする課題】
【００１０】従来、身体を洗う時は、浴室の浴槽に湯を溜めて、浴槽の中に体を沈め温まる、シャワーを浴びる。【００１１】タオル等に、石鹸を馴染ませ、擦る事で体を綺麗に洗っている。そうすると、水の使用量も多く必要である。又、浴槽に溜める水を温める為の燃料も多く必要である。
【課題を解決するための手段】
【００１２】この装置を使用する時、基本的に浴槽は、必要なく、洗濯機を、設置している様にして、使用できる。
本発明は、身体を洗う為の自動身体洗浄装置で、最初に給湯器より供給された温水を貯水タンクに溜める。（この時、適量の洗剤を、入れておく）【００１３】溜めた温水を、下ケース（容器）内に流し込む。その温水をポンプで吸い上げ、加圧して混合タンクに送る。【００１４】タンク内に有る洗浄ボールと温水が、混ぜ合わされる。混合された温水をノズルケースに送る。加圧された温水と洗剤及び洗浄ボールがノズルより噴射される。【００１５】噴射ノズルは、上部の開閉扉、内側と、シートの下に設置されている。【００１６】下ケース（容器）内に設置されているシートに体を預けているだけで、加圧された湯水と洗剤それに混じった洗浄ボールが、ノズルより噴射され身体に接触する事で、自動的に体を洗う作業が可能である。【００１７】次に洗剤の混じった温水を排水して、新たに温水を貯水タンクに貯め、ノズルから再度身体に噴射して、洗剤等を濯ぎ落とす。【００１８】洗浄時間は、好みに応じて選択できる。【００１９】上下から同時に噴射するので、身体を綺麗に洗浄するのに、時間短縮出来る。【００２０】同時に噴射された洗浄ボールが、皮膚に接触する刺激が、マッサージ効果を身体に与え新陳代謝を促がす、自動身体洗浄装置。
【発明の効果】
【００２１】本装置を使用すると、シートに体を預けているだけで、上下から同時に、加圧温水及び、洗剤、洗浄ボールがノズルより噴射され、皮膚の表面を摺る事で一気に洗浄出来る為、入浴時間の短縮が可能。【００２２】タンクに蓄えたお湯を循環して使用する事で、水の使用量の削減が可能。水を沸かす為の燃料の節約が可能。【００２３】自分の腕で洗う必要が無いので、腕や手の不自由な人でも体を、洗う事が出来る。
更に介護者を必要とする人の入浴でも、介護者の労力が少なく出来る。
【図面の簡単な説明】
【００２４】
【図１】  椅子に座るタイプの扉と上噴射ノズルケースの組み立て図、ケース（容器本体）と下噴射ノズルケース及びシートの断面図
【図２】  ポンプ、  温水貯水タンク、  温水と洗浄ボールを混ぜる混合タンク、スイッチボックス、を収めた収納ボックス図
【図３】  椅子に座るタイプの下噴射ノズルケースの部品図
【図４】  椅子に座るタイプの上噴射ノズルケースの部品図
【図５】  椅子に座るタイプのシートの部品図
【図６】  椅子に座るタイプのケースと扉の組み立て図
【図７】  寝そべるタイプの組み立て図
【図８】  寝そべるタイプの側面図
【図９】  寝そべるタイプの上噴射ノズルケースの部品図
【図１０】  寝そべるタイプの下噴射ノズルケースの部品図
【図１１】  ポンプの部品図  （図２のポンプと同じ物）
【図１２】  混合タンクの部品図  （図２のタンクと同じ物）
【図１３】  寝そべるタイプのシートの部品図  〔特記〕  （ホース及びパイプ等は、図面より省く）。
【発明を実施するための形態】
【００２５】座るタイプのケース（容器）３  に取り付けられた蝶番で、開閉出来る扉１  の内側に上噴射ノズルケース２  が取り付けられている。
【００２６】座るタイプもケース（容器）３  の内側には、下ノズルケース５  が有り、その上に体を受け止める為のシート４  が固定されている。
【００２７】温水を溜めて置くタンク７  から下ケース（容器）３  内に、温水を出す。下ケース（容器）３の下部に溜まった温水を、ポンプ６  で汲み上げ最適な噴射圧になった温水を混合タンク８  に送り込む。
【００２８】加圧された温水と、洗浄ボール９  洗剤を身体に噴射する上噴射ノズルケース２  及び、下噴射ノズルケース５  で構成された物を連続的に効率良く、ホースやパイプ１０で接続し、加圧温水、洗浄ボールをノズルより身体に噴射して洗う事で、身体に負荷を余り与えず、自動で洗浄出来る装置である。
【００２９】寝そべるタイプは、座るタイプと各部品の形状は、符号１２、１３、１４，１５、１６，のように部品形状違うが、実施形態は、同じである。
【符号の説明】
【００３０】  １    ケースの扉
２    上噴射ノズルケース
３    ケース（容器）
４    身体保持シート
５    下ノズルケース
６    加圧ポンプ
７    温水貯水タンク、混合タンク
８    混合タンク
９    洗浄ボール
１０  パイプ
１１  収納ボックス
１７  スイッチボックス
１２  寝そべるタイプのケースの扉
１３  寝そべるタイプの上噴射ノズルケース
１４  寝そべるタイプのケース（容器）
１５  寝そべるタイプの下噴射ノズルケース
１６  寝そべるタイプの身体保持シート
１７  スイッチボックス
【図１】
2010284492.tif 000003
【図２】
2010284492.tif 000004
【図３】
2010284492.tif 000005
【図４】
2010284492.tif 000006
【図５】
2010284492.tif 000007
【図６】
2010284492.tif 000008
【図７】
2010284492.tif 000009
【図８】
2010284492.tif 000010
【図９】
2010284492.tif 000011
【図１０】
2010284492.tif 000012
【図１１】
2010284492.tif 000013
【図１２】
2010284492.tif 000014
【図１３】
2010284492.tif 000015